(57)【要約】【課題】カード用コネクタにおいて、カードの使用中に誤ってカードが排出される事故を未然に防止する。【解決手段】ストッパ部材２４は、イジェクト機構１２の押圧ノブ２２に反時計回りにばね付勢されて、回動可能に取り付けられている。カード１０が挿入されていない状態の時、押圧ノブ２２が突出すると、ストッパ部材２４は反時計回りに付勢されているので、押圧ノブ２２のスロット３０から抜け出て、軸心であるピンの回りに回動して、ストッパ部材２４の後端部がカード受容スロット３内に進入する。従って、この状態ではカード１０をカード受容スロット３内に挿入することはできないので、そのままカード１０を挿入後、誤って押圧ノブ２２を押して使用中のカード１０を偶発的に排出してしまう事故を防止できる。【選択図】　　　　　図４
2004055256.tif 000002
【特許請求の範囲】
【請求項１】
カードを受容するカード受容スロットと、該カード受容スロットの近傍に配置された、前記カードを排出するプッシュ・プッシュ式のイジェクト機構とを有するカード用コネクタにおいて、
前記イジェクト機構が、押圧ノブを有し、該押圧ノブに、該押圧ノブが押し込まれた位置にあるときは前記カード受容スロットから退避する第１位置および前記押圧ノブが突出位置にあるときは前記カード受容スロット内に突出して前記カードの挿入を阻止する第２位置とを取り得るストッパ部材を、前記押圧ノブの押圧操作と連動して前記第１位置と前記第２位置との間を回動するように設けてなることを特徴とするカード用コネクタ
【発明の詳細な説明】
【０００１】
【発明の属する技術分野】
本発明はカード用コネクタに関し、特にプッシュ・プッシュ式イジェクト機構を有するカード用コネクタに関する。
【０００２】
【従来の技術】
ＰＣＭＣＩＡ等のカード（ＰＣカード）を受容するこの種のカード用コネクタは、パソコン等に使用されている。カード用コネクタにカードを挿入して使用している時に、カードを排出するための押圧ノブが機器から突出していて邪魔になることがある。このため、カードの使用中に押圧ノブをコネクタに押し込んで機器から突出しないようにした、所謂プッシュ・プッシュ式イジェクト機構を使用したコネクタが使用されている。
【０００３】
この種のコネクタとして、特許第２８３９２４２号公報および実開平６−１３０７２号公報に開示されたコネクタ装置が知られている。このプッシュ・プッシュ式イジェクト機構は、カードを排出したいときに、押し込まれた押圧ノブを再度押すことにより突出させ、この突出した押圧ノブを押圧することによりカードを排出することができるようにしたものである。さらに詳細には、このプッシュ・プッシュ式イジェクト機構は、ハート形のカム溝内を押圧ノブの操作に応じて循環移動するカム従動子が、カム溝内の、カードの挿抜方向に離隔した２カ所の所定位置に順次停止するようにし、これにより前述の押圧ノブの位置をノブが押し込まれた押込位置と、コネクタから突出した突出位置とを取り得るようにしたものである。
【０００４】
【発明が解決しようとする課題】
カードをコネクタから排出するには、このイジェクト機構の押圧ノブを押圧して行なう。カードが排出された後は、押圧ノブは押し込まれた位置に維持されており、この状態の時に使用したいカードをカード受容スロットに挿入することができる。しかし、カードを挿入する前に偶発的に押圧ノブを押してしまうと、カードが挿入されていない状態で押圧ノブが外方即ち作業者側に突出する。この押圧ノブが突出した状態であってもカードは挿入できるため、例えば、他の作業者が使用したいカードを挿入して使用する可能性がある。そして使用中に、押圧ノブが突出していて邪魔に感じた時、押圧ノブを押圧して押し込んでしまうことがあり得る。この突出した押圧ノブを押圧する操作は、カードを排出する操作となるため、カードを排出することを意図していないにも係わらず、カードを排出（イジェクト）してしまい、作業に支障を来す虞がある。例えば、工作機械等を製造ラインで使用していた場合には、製造がストップする等の不具合が生じる。
【０００５】
本発明は、以上の点に鑑みてなされたものであり、カードの使用中に誤ってカードが排出される事故を未然に防止するカード用コネクタを提供することを目的とするものである。
【０００６】
【課題を解決するための手段】
本発明のカード用コネクタは、カードを受容するカード受容スロットと、このカード受容スロットの近傍に配置された、カードを排出するプッシュ・プッシュ式のイジェクト機構とを有するカード用コネクタにおいて、イジェクト機構が、押圧ノブを有し、押圧ノブに、この押圧ノブが押し込まれた位置にあるときはカード受容スロットから退避する第１位置および押圧ノブが突出位置にあるときはカード受容スロット内に突出してカードの挿入を阻止する第２位置とを取り得るストッパ部材を、押圧ノブの押圧操作と連動して第１位置と第２位置との間を回動するように設けてなることを特徴とするものである。
【０００７】
【発明の効果】
本発明のカード用コネクタは、カードを排出するプッシュ・プッシュ式のイジェクト機構が、押圧ノブを有し、この押圧ノブに、押圧ノブの押圧操作と連動して回動するストッパ部材を設けている。このストッパ部材は、押圧ノブが押し込まれた位置にあるときはカード受容スロットから退避する第１位置にあり、押圧ノブが突出位置にあるときはカード受容スロット内に突出してカードの挿入を阻止する第２位置にあるよう構成されているので次の効果を奏する。
【０００８】
即ち、誤ってカードが排出される虞がある、押圧ノブの突出位置で、ストッパ部材がカード受容スロット内に突出して、カードを挿入することが不可能になるので、カードを挿入したい作業者は、必然的に押込位置まで押圧ノブを押圧する。これにより、押圧ノブが突出した状態で、そのままカードが挿入されてカードの使用中に偶発的に押圧ノブを押して使用中のカードが排出されるという事故を防止することができる。
【０００９】
【発明の実施の形態】
以下、本発明のカード用コネクタ（以下、単にコネクタという）の好ましい実施の形態について、添付図面を参照して詳細に説明する。図１は、本発明のコネクタの平面図であり、ストッパ部材がカード受容スロットから退避している状態を示し、図２は、図１に対応するコネクタの斜視図である。以下、図１及び図２を参照して説明する。コネクタ１は、図示しない複数のコンタクトを配列した本体２と、この本体２の両端に取り付けられた断面略コ字状のカードガイド部４、５を有する。本体２には、図２に示すように挿入されるカード１０のコンタクトが挿入される多数のコンタクト収容孔２０（図２）が配置されている。１組のカードガイド部４、５によりカード１０を受容するカード受容スロット３が構成される。
【００１０】
本体２は、カード１０を排出するために、図１において、紙面と平行な面内で揺動するように配置されたカムバー６を有する。カムバー６の一端には、カード１０の前端１０ａ（図１）と当接してカード１０を排出する端面８が形成されている。また、本体２から突出する他端１８には、後述するイジェクト機構１２のイジェクタバー１４の前端１６が当接してカムバー６を揺動させるように構成されている。なお、ここで前方、後方とは、図１において、コネクタ１の上方を前方とし、下方を後方とする。
【００１１】
次に、カードガイド部４に取り付けられたプッシュ・プッシュ式イジェクト機構（以下、単にイジェクト機構という）１２について説明する。イジェクト機構１２は、カード１０の挿抜方向に延びる、金属板から打抜きおよび折り曲げにより形成されたイジェクタバー１４と、このイジェクタバー１４の後端部に取り付けられた樹脂製の押圧ノブ２２と、押圧ノブ２２に回動可能に取り付けられたストッパ部材２４と、イジェクタバー１４の略中間に取り付けられた舌片４４を有する。
【００１２】
このイジェクト機構１２は、カードガイド部４の外側面に形成されたハート形カム溝（図示せず）と、後述する、舌片４４に取り付けられたカム従動子（図示せず）との係合関係により、押圧ノブ２２を単に反復して押すことで、押圧ノブ２２を突出位置（第２位置）と、押込位置（第１位置）に交互に維持するものである。即ち、舌片４４のカム従動子が、押圧ノブ２２を押し込む毎にハート型カム溝内の所定の押し込み位置と突出位置に停止して、押圧ノブ２２の位置決めを行なう。このイジェクト機構１２は、前述の特許第２８３９２４２号公報等において、既に知られている構成なので、ここでは詳細な説明は省略する。
【００１３】
イジェクタバー１４は、その略中間でＬ字状に折れ曲がっており、先端部がカードガイド部４から突出する１組のブラケット２６により、カード１０の挿抜方向に摺動可能に把持されている。また、押圧ノブ２２は、カード１０の挿抜方向に延びるリブ２８を一体に有する。このリブ２８は、カードガイド部４と一体に形成された１組のブラケット２７により摺動可能に保持されている。また、押圧ノブ２２のカードガイド部４に向く面には、挿抜方向に延びるスロット３０が形成されている。
【００１４】
ストッパ部材２４は、平面視が略矩形の樹脂製部材であり、前述のスロット３０に進入する板状部３２と、この板状部３２と直交するように側縁に一体に形成された補強部３４とを有する。このストッパ部材２４は、押圧ノブ２２にピン３６で回動可能に軸支されている。そして、イジェクタバー１４の内向きの突起４０と、ストッパ部材２４の前端との間にコイルばね３８が引っ掛けられている（図２では、コイルばね３８は省略されている）。これにより、ストッパ部材２４は、ピン３６の回りに常時反時計回りに付勢される。しかし、押圧ノブ２２が押し込まれた状態にあるときは、ストッパ部材２４は、カードガイド部４によりスロット３０内に押し込められている。即ち、押圧ノブ２２は、カード受容スロット３から退避した位置にある。また、イジェクタバー１４は図示しないコイルばねにより、常時コネクタ１から突出する方向に付勢されている。
【００１５】
また、カードガイド部４の後端近傍には、後端から延びる切欠き４２（図２）が形成されている。この切欠き４２は、ストッパ部材２４を受容する大きさを有している。ストッパ部材２４が、図１及び図２に示すように押圧ノブ２２内に収容されている時、即ち、押圧ノブ２２と整列しているときは、カード受容スロット３内に、カード１０の通過を阻害するものは何もないので、カード１０はカード受容スロット３内に円滑に挿入することができる。図１及び図２に示す押圧ノブ２２は、コネクタ１に押し込まれた位置にあり、この状態の時に、カード１０は排出されているので、別のカード１０をカード受容スロット３に挿入することができる。
【００１６】
次に、この押込位置にある押圧ノブ２２を誤って押してしまった状態について、図３及び図４を参照して説明する。図３は、本発明のコネクタ１の平面図であり、ストッパ部材２４がカード受容スロット３内に突出している状態を示し、図４は、図３に対応するコネクタ１の斜視図である。押圧ノブ２２を誤って押し込むと、前述のイジェクト機構１２により、押圧ノブ２２が図３に示す位置に突出する。通常、この位置から再度押圧ノブ２２を押し込むと中のカード１０が排出されるが、図３、図４に示されるように、このときは、カード１０は、カード受容スロット３内に存在していない。この状態の時に、ストッパ部材２４がカード受容スロット３内に突出していないと、別のカード１０を挿入して使用することが可能となる。そして、使用中に、作業者が押圧ノブ２２を邪魔と感じて押圧ノブ２２を押すと、使用中のカード１０が排出されてしまうという事故が生じる。
【００１７】
そこで、図３、図４に示すようにストッパ部材２４がカード受容スロット３内に進入して、別のカード１０を挿入することができないようにしている。このときの押圧ノブ２２と、ストッパ部材２４との協働関係について次に説明する。押圧ノブ２２が突出すると、ストッパ部材２４は、ばね３８により反時計回りに付勢されているので、押圧ノブ２２のスロット３０から抜け出て、ピン３６（図１、図２）の回りに回動して、ストッパ部材２４の後端部が、カードガイド部４の切欠き４２からカード受容スロット３内に進入する。従って、誤って押すと、カード１０を排出してしまう、この突出した状態にある押圧ノブ２２の位置では、カード１０をカード受容スロット３内に挿入することはできない。
【００１８】
従って、カード１０を使用したいときは、押圧ノブ２２を押し込んで図１及び図２に示す位置にした後、カード１０を挿入することになる。そして、使用後にこのカード１０を排出したいときは、図１（図２）に示す位置にある押圧ノブ２２を押して突出させた後、突出した押圧ノブ２２を押圧することにより排出することができる。このように、図３及び図４に示す押圧ノブ２２の位置では、カード１０を挿入することができないので、使用中のカード１０を偶発的に排出してしまうという事故を防止できる。
【図面の簡単な説明】
【図１】本発明のカード用コネクタの平面図であり、ストッパ部材がカード受容スロットから退避している状態を示す。
【図２】図１に対応するカード用コネクタの斜視図
【図３】本発明のカード用コネクタの平面図であり、ストッパ部材がカード受容スロット内に突出している状態を示す。
【図４】図３に対応するカード用コネクタの斜視図
【符号の説明】
１　　カード用コネクタ
３　　カード受容スロット
１０　　カード
１２　　イジェクト機構
２２　　押圧ノブ
２４　　ストッパ部材
【図１】
2004055256.tif 000003
【図２】
2004055256.tif 000004
【図３】
2004055256.tif 000005
【図４】
2004055256.tif 000006